(57)【要約】【課題】レンズ鏡筒の光軸と検査用チャートの中心とを正確に合わせることができるようにする調整を簡単に行うことができる投影装置の調整方法を提案する。【解決手段】台座側位置決め部２１と係合して位置を決める調整器側位置決め部５１と、指標部５２と、を有し、調整器側位置決め部５１と指標部５２との位置関係がレンズ鏡筒６０の鏡筒側位置決め部６１とレンズ鏡筒６０の光軸Ｃ３との位置関係と一致している調整器５０を用い、台座２０の投影装置１０に対する位置を調整可能な状態にして、調整器側位置決め部５１と台座側位置決め部２１とを係合させて調整器５０を台座に対して取り付け、検査用チャート３０の中心位置Ｃ１と指標部５２とを一致させた状態で台座２０を投影装置１０に固定する。【選択図】図１
2005077780.tif 000002
【特許請求の範囲】
【請求項１】
検査用チャートを有する投影装置に対して前記検査用チャートとの相対位置を調整して固定することができる台座を固定し、前記台座に設けられた台座側位置決め部と係合して位置を決める鏡筒側位置決め部を有するレンズ鏡筒を前記台座を介して前記投影装置に取り付け、前記検査用チャートを逆投影する投影装置の調整方法であって、
前記台座側位置決め部と係合して位置を決める調整器側位置決め部と、指標部と、を有し、前記調整器側位置決め部と前記指標部との位置関係が前記鏡筒側位置決め部と前記レンズ鏡筒の光軸との位置関係と一致している調整器を用い、
前記台座の前記投影装置に対する位置を調整可能な状態にして、前記調整器側位置決め部と前記台座側位置決め部とを係合させて前記調整器を前記台座に対して取り付け、前記検査用チャートの中心位置と前記指標部とを一致させた状態で前記台座を前記投影装置に固定する投影装置の調整方法。
【請求項２】
請求項１に記載の投影装置の調整方法において、
前記調整器は、前記指標部を拡大して観察可能にする拡大鏡を備え、
前記拡大鏡を利用して前記指標部及び前記検査用チャートを拡大観察しながら、前記検査用チャートの中心位置と前記指標部とを一致させること、
を特徴とする投影装置の調整方法。
【請求項３】
請求項１又は請求項２に記載の投影装置の調整方法において、
前記指標部は、前記調整器に設けられた貫通穴であること、
を特徴とする投影装置の調整方法。
【発明の詳細な説明】
【技術分野】
【０００１】
本発明は、カメラ等のレンズ鏡筒の解像力検査等に使用される投影装置の調整方法に関するものである。
【背景技術】
【０００２】
カメラ等に使用されるレンズ鏡筒等を検査するときに、投影解像力検査と呼ばれる検査が行われている。この投影解像力検査では、フィルム面や撮像素子面に相当する位置にガラス板に所定のパターンが蒸着などにより形成された検査用チャートが配置される。そして、この検査用チャートを光源からの光により逆投影（レンズ鏡筒からみてフィルム面や撮像素子面側から投影）して、前方に配置されたスクリーン上に検査用チャートの像を投影し、これを観察することにより、レンズ鏡筒の検査が行われている。
【０００３】
この検査では、撮影画面中で予め決めておいた位置毎にパターンが設けられており、各位置における解像力を把握することが行われている。したがって、この検査を行うときには、レンズ鏡筒と検査用チャートとの位置を正確に位置決めする必要がある。
【０００４】
ところで、レンズ鏡筒は、製品毎に取り付け部分の形状が異なるので、製品毎にヤトイと呼ばれる台座を用意し、このヤトイを介して投影装置とレンズ鏡筒との位置を決めていた。
従来、このヤトイの投影装置への取り付け精度は、ヤトイの加工精度に依存しており、ヤトイの加工精度が低くなると投影装置とヤトイとの位置がずれて、結果として検査用チャートとレンズ鏡筒との位置にもずれが生じてしまうという問題があった。
【０００５】
また、検査用チャートは、例えば、検査対象であるレンズ鏡筒が所謂３５ミリサイズ（画面サイズ：２４ｍｍ×３６ｍｍ）であるか、ＡＰＳサイズ（画面サイズ：１６．７ｍｍ×３０．２ｍｍ）であるか、２／３インチサイズ（画面サイズ：６．６ｍｍ×８．８ｍｍ）であるか等、撮影画面サイズに応じて異なるものが必要であり、必要に応じて投影装置に対して付け替えて使用される。したがって、投影装置に対して検査用チャートの位置が正確に決まっている保障はない。
【０００６】
このように、検査用チャートとレンズ鏡筒との位置が正確に位置決めされていない状態においてレンズ鏡筒の検査を行ってしまうと、特に画面周辺部において、合格品（検査の規格を満たしたレンズ鏡筒）であるのに誤って不合格品（検査の規格を満たしていないレンズ鏡筒）としてしまったり、その逆に、不合格品であるのに誤って合格品としてしまったりするというおそれがあった。
【発明の開示】
【発明が解決しようとする課題】
【０００７】
本発明の課題は、レンズ鏡筒の光軸と検査用チャートの中心とを正確に合わせることができるようにする調整を簡単に行うことができる投影装置の調整方法を提案することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
請求項１の発明は、検査用チャート（３０）を有する投影装置（１０）に対して前記検査用チャートとの相対位置を調整して固定することができる台座（２０）を固定し、前記台座に設けられた台座側位置決め部（２１）と係合して位置を決める鏡筒側位置決め部（６１）を有するレンズ鏡筒（６０）を前記台座を介して前記投影装置に取り付け、前記検査用チャートを逆投影する投影装置の調整方法であって、前記台座側位置決め部と係合して位置を決める調整器側位置決め部（５１）と、指標部（５２，Ｃ２）と、を有し、前記調整器側位置決め部と前記指標部との位置関係が前記鏡筒側位置決め部と前記レンズ鏡筒の光軸（Ｃ３）との位置関係と一致している調整器（５０）を用い、前記台座の前記投影装置に対する位置を調整可能な状態にして、前記調整器側位置決め部と前記台座側位置決め部とを係合させて前記調整器を前記台座に対して取り付け、前記検査用チャートの中心位置（Ｃ１）と前記指標部とを一致させた状態で前記台座を前記投影装置に固定する投影装置の調整方法である。
【０００９】
請求項２の発明は、請求項１に記載の投影装置の調整方法において、前記調整器（５０）は、前記指標部（５２）を拡大して観察可能にする拡大鏡（５３）を備え、前記拡大鏡を利用して前記指標部及び前記検査用チャート（３０）を拡大観察しながら、前記検査用チャートの中心位置（Ｃ１）と前記指標部（５２，Ｃ２）とを一致させること、を特徴とする投影装置の調整方法である。
【００１０】
請求項３の発明は、請求項１又は請求項２に記載の投影装置の調整方法において、前記指標部（５２，Ｃ２）は、前記調整器に設けられた貫通穴であること、を特徴とする投影装置の調整方法である。
【発明の効果】
【００１１】
本発明によれば、以下の効果を奏することができる。
（１）台座２０の投影装置１０に対する位置を調整可能な状態にして、調整器側位置決め部５１と台座側位置決め部２１とを係合させて調整器５０を台座２０に対して取り付け、検査用チャート３０のチャート中心Ｃ１と指標部５２とを一致させた状態で台座を投影装置に固定するので、レンズ鏡筒６０の光軸と検査用チャート３０のチャート中心Ｃ１とを正確に合わせることができる。
【００１２】
（２）調整器５０は、指標部５２を拡大して観察可能にする拡大鏡５３を備え、拡大鏡５３を利用して指標部５２及び検査用チャート３０を拡大観察しながら、検査用チャート３０のチャート中心Ｃ１と指標部５２とを一致させるので、調整を簡単かつ正確に行うことができる。
【００１３】
（３）指標部５２は、調整器５０に設けられた貫通穴であるので、簡単な構成で調整器５０を精度よく作製することができ、調整をより正確に行うことができる。
【発明を実施するための最良の形態】
【００１４】
レンズ鏡筒の光軸と検査用チャートの中心とを正確に合わせることができるようにする調整を簡単に行うという目的を、ごく簡単な調整器を使用することにより実現した。
【実施例】
【００１５】
図１は、本発明による投影装置の調整方法の実施例に使用するものを説明する図である。
図２は、投影装置１０，台座２０を主に説明する図である。図２（ａ）は、投影方向から見た図であり、図２（ｂ）は、一部断面により示した側面図である。なお、これらの図、及び、以下に示す各図において、各部の寸法、位置等は、説明の都合上、適宜変更して示している。
投影装置１０は、不図示の光源を有し、この光源からの光により後述の検査用チャート３０を照明する装置である。
【００１６】
台座２０は、投影装置１０に対して固定され、検査時にレンズ鏡筒６０を固定する所謂ヤトイである。台座２０には、台座側位置決め部２１，孔部２２，ビス孔２３等が設けられている。
台座側位置決め部２１は、後述のレンズ鏡筒６０に設けられた鏡筒側位置決め部６１と係合してレンズ鏡筒６０の位置を決める部分であり、本実施例では、ピンを植設することにより形成され、孔部２２のまわりに２ヶ所設けられている。
孔部２２は、検査用チャート３０よりも大きな貫通孔であって、台座２０の略中央に設けられている。
ビス孔２３は、ビス４０を用いて台座２０を固定するときにビス４０を通す孔であり、台座２０の外縁付近に４箇所設けられている。このビス孔２３は、ビス４０のねじ部外径よりも大きめに開けられているので、台座２０を検査用チャート３０との相対位置を調整して固定することができる。
【００１７】
図３は、検査用チャート３０の一例を示す図である。図３（ａ）は、検査用チャート３０の全体を示す図であり、図３（ｂ）は、パターン〔たとえば、図３（ａ）のＡ部〕を拡大した図である。
検査用チャート３０は、検査に使用するパターンをガラス板に蒸着により形成したものである。本実施例における検査用チャート３０では、チャート中心Ｃ１から放射状に８方向に図３（ｂ）に示すパターンが所定間隔で並べて配置されている。
【００１８】
図１に戻って、調整器５０は、本実施例における投影装置の調整時に使用される冶工具であって、調整器側位置決め部５１，指標部５２，拡大鏡５３等を有している。
調整器側位置決め部５１は、台座側位置決め部２１と係合して調整器５０の位置を台座２０に対して決める部分である。
指標部５２は、ごく小さな貫通孔であって、本実施例では、直径０．０５ｍｍの貫通孔により形成されている。
【００１９】
ここで、指標部５２は、調整器側位置決め部５１と指標部５２の中心位置（指標中心Ｃ２）との位置関係がレンズ鏡筒６０の鏡筒側位置決め部６１とレンズ鏡筒６０の光軸Ｃ３との位置関係と一致する位置に設けられている。
拡大鏡５３は、指標部５２及び、指標部５２を通して検査用チャート３０を拡大するルーペである。
【００２０】
レンズ鏡筒６０は、不図示のデジタルスチルカメラの撮影レンズであって、鏡筒側位置決め部６１が設けられている。
鏡筒側位置決め部６１は、デジタルスチルカメラに組みつけられたときには、デジタルスチルカメラに設けられた不図示の撮像素子との位置決めに使用される孔である。鏡筒側位置決め部６１を用いて撮像素子との位置決めを行うと、レンズ鏡筒６０の光軸Ｃ３と撮像素子の中心位置とが一致するようになっている。本実施例では、投影検査を行うときにレンズ鏡筒６０を台座２０に対して固定するときの位置決めにも、この鏡筒側位置決め部６１を使用する。
【００２１】
次に、本実施例の投影装置の調整方法について説明する。
（調整作業１）先ず、投影装置１０に検査用チャート３０を固定する。
（調整作業２）次に、台座２０を位置調整が可能な程度にビス４０を使用して投影装置１０に仮止めする。
（調整作業３）投影装置１０に仮止めした台座２０に、調整器５０を調整器側位置決め部５１と台座側位置決め部２１とを嵌合させて取り付ける。
図４は、調整作業３を行った状態を示す図である。この状態では、台座２０の位置が不定であるので、例えば、図４に示したように、チャート中心Ｃ１と指標中心Ｃ２との位置にずれ（δ）が生じる可能性が高い。
【００２２】
（調整作業４）拡大鏡５３を利用して、指標部５２の貫通孔を介して調整用チャート３０を拡大して観察しながら、チャート中心Ｃ１と指標中心Ｃ２とが一致するように、台座２０を移動させる。チャート中心Ｃ１と指標中心Ｃ２とが一致した状態で、ビス４０を締めこんで台座２０を投影装置１０に対して固定する。以上の作業により、調整が完了する。
図５は、調整作業４を完了した状態を示す図である。
なお、指標部５２は、貫通孔であるので、指標中心Ｃ２が実体として存在するのではないが、この指標部５２を形成する貫通孔は、先に示したように、直径０．０５ｍｍと非常に小さな孔であり、これを拡大鏡５３により拡大して観察している。したがって、十分に高い精度で、チャート中心Ｃ１と指標中心Ｃ２とを一致させることができる。
【００２３】
図６は、調整作業が完了した投影装置１０及び台座２０に対して、レンズ鏡筒６０を固定して投影解像力検査を行う状態を示した図である。
上述した方法により、調整作業が完了しているので、台座２０に対してレンズ鏡筒６０を鏡筒側位置決め部６１と台座側位置決め部２１とを嵌合させて取り付けると、光軸Ｃ３とチャート中心Ｃ１とが一致する。
【００２４】
本実施例によれば、簡単な調整器５０を作製して用いることにより、レンズ鏡筒の光軸と検査用チャートの中心とを正確に合わせることができるようにする調整を簡単に行うことができる。したがって、この方法により調整された投影装置を用いて検査を行うことにより、レンズ鏡筒の検査の精度を格段に向上することができる。
（変形例）
【００２５】
以上説明した実施例に限定されることなく、種々の変形や変更が可能であって、それらも本発明の均等の範囲内である。
例えば、本実施例において、レンズ鏡筒６０は、撮像素子との位置決めに使用される鏡筒側位置決め部６１を台座２０との位置決めにも利用する例を示したが、これに限らず、例えば、レンズ交換式の所謂一眼レフタイプのカメラに使用するレンズ鏡筒であってもよい。
【図面の簡単な説明】
【００２６】
【図１】本発明による投影装置の調整方法の実施例に使用するものを説明する図である。
【図２】投影装置１０，台座２０を主に説明する図である。
【図３】検査用チャート３０の一例を示す図である。
【図４】調整作業３を行った状態を示す図である。
【図５】調整作業４を完了した状態を示す図である。
【図６】調整作業が完了した投影装置１０及び台座２０に対して、レンズ鏡筒６０を固定して投影解像力検査を行う状態を示した図である。
【符号の説明】
【００２７】
１０  投影装置
２０  台座
２１  台座側位置決め部
２２  孔部
２３  ビス孔
３０  検査用チャート
Ｃ１  チャート中心
４０  ビス
５０  調整器
５１  調整器側位置決め部
５２  指標部
５３  拡大鏡
Ｃ２  指標中心
６０  レンズ鏡筒
６１  鏡筒側位置決め部
Ｃ３  光軸
【図１】
2005077780.tif 000003
【図２】
2005077780.tif 000004
【図３】
2005077780.tif 000005
【図４】
2005077780.tif 000006
【図５】
2005077780.tif 000007
【図６】
2005077780.tif 000008